(57)【要約】【課題】操作性を向上させ、十分な吸引力を確保する。【解決手段】アップライト集じん機は、連結管と、連結管と接続される集じん室と、集じん室と接続されファン及びモータが収容されるモータ室と、モータ室からの気体が排出される排気口と、を有し、床面に対して直立した状態に維持可能な本体部を備えるアップライト集じん機であって、本体部に接続可能であり、吸引力によって空気を吸引するヘッド部と、ヘッド部の内部に配置され、平面視においてヘッド部の中央部を通るように直線状に設けられ、吸引した空気を本体部側に流通させる吸込流路と、ヘッド部のうち平面視において吸込流路から外れた位置に配置されるバッテリとを備える。【選択図】図３
2020141793.tif 000002
【特許請求の範囲】
【請求項１】
連結管と、
前記連結管と接続される集じん室と、
前記集じん室と接続されファン及びモータが収容されるモータ室と、
前記モータ室からの気体が排出される排気口と、を有し、床面に対して直立した状態に維持可能な本体部を備えるアップライト集じん機であって、
前記本体部に接続可能であり、吸引力によって空気を吸引するヘッド部と、
前記ヘッド部の内部に配置され、平面視において前記ヘッド部の中央部を通るように直線状に設けられ、吸引した空気を前記本体部側に流通させる吸込流路と、
前記ヘッド部のうち平面視において前記吸込流路から外れた位置に配置されるバッテリと
を備えることを特徴とするアップライト集じん機。
【請求項２】
前記バッテリは、前記ヘッド部に着脱可能に設けられる
ことを特徴とする請求項１に記載のアップライト集じん機。
【請求項３】
前記バッテリは、複数の位置に配置される
ことを特徴とする請求項１又は請求項２に記載のアップライト集じん機。
【請求項４】
前記バッテリは、平面視において前記吸込流路の両側の位置に配置される
ことを特徴とする請求項３に記載のアップライト集じん機。
【請求項５】
前記ヘッド部は、前記バッテリをスライドさせて着脱可能なレールを有する
ことを特徴とする請求項２に記載のアップライト集じん機。
【請求項６】
前記ヘッド部は、ヘッドハウジングを有し、
前記ヘッドハウジングは、前記バッテリを収容可能な凹部を有する
ことを特徴とする請求項１から請求項５のいずれか一項に記載のアップライト集じん機。
【請求項７】
前記バッテリは、汎用バッテリである
ことを特徴とする請求項１から請求項６のいずれか一項に記載のアップライト集じん機。
【請求項８】
前記ヘッド部は、開閉可能であって閉じた状態で前記バッテリを覆うカバー部材を有する
ことを特徴とする請求項１から請求項７のいずれか一項に記載のアップライト集じん機。
【発明の詳細な説明】
【技術分野】
【０００１】
本発明は、アップライト集じん機に関する。
【背景技術】
【０００２】
床面に対して直立した状態に維持可能であり吸引力を生じさせる本体部と、本体部からの吸引力によって空気を吸引するヘッド部と、本体部とヘッド部とを接続する接続管とを有するアップライト集じん機が知られている（例えば、特許文献１参照）。特許文献１に記載のアップライト集じん機では、ヘッド部にバッテリを配置することで、本体部にバッテリを配置する場合に比べて、操作部分の荷重が低下し、操作性が向上する。
【先行技術文献】
【特許文献】
【０００３】
【特許文献１】米国特許出願公開第２００３／０２０１７５４号明細書
【発明の概要】
【発明が解決しようとする課題】
【０００４】
一方、特許文献１に記載のアップライト集じん機では、ヘッド部の左右方向の中央にバッテリが配置されるため、吸引した空気を本体部側に流通させる吸込流路をヘッド部の側部に迂回させる必要がある。この場合、ヘッド部における吸引力が左右で不均等になる可能性があり、十分な吸引力が確保されない可能性がある。
【０００５】
本発明は、上記に鑑みてなされたものであり、操作性を向上させ、十分な吸引力を確保することが可能なアップライト集じん機を提供することを目的とする。
【課題を解決するための手段】
【０００６】
本発明の態様に従えば、連結管と、前記連結管と接続される集じん室と、前記集じん室と接続されファン及びモータが収容されるモータ室と、前記モータ室からの気体が排出される排気口と、を有し、床面に対して直立した状態に維持可能な本体部を備えるアップライト集じん機であって、前記本体部に接続可能であり、吸引力によって空気を吸引するヘッド部と、前記ヘッド部の内部に配置され、平面視において前記ヘッド部の中央部を通るように直線状に設けられ、吸引した空気を前記本体部側に流通させる吸込流路と、前記ヘッド部のうち平面視において前記吸込流路から外れた位置に配置されるバッテリとを備えるアップライト集じん機が提供される。
【発明の効果】
【０００７】
本発明の態様によれば、操作性を向上させ、十分な吸引力を確保することが可能なアップライト集じん機を提供することができる。
【図面の簡単な説明】
【０００８】
【図１】図１は、本実施形態に係るアップライト集じん機の一例を示す斜視図である。
【図２】図２は、本実施形態に係るアップライト集じん機の一例を示す平面図である。
【図３】図３は、本実施形態に係るアップライト集じん機の一例を示す底面図である。
【図４】図４は、本実施形態に係るアップライト集じん機の一例を示す側面図である。
【図５】図５は、本体部の一例を示す断面図である。
【図６】図６は、本体部の一例を示す斜視図である。
【図７】図７は、本体部の一例を示す斜視図である。
【図８】図８は、本体部の一例を示す平面図である。
【図９】図９は、カバー部材を開いた状態の一例を示す斜視図である。
【図１０】図１０は、ヘッドハウジングの一部を拡大して示す斜視図である。
【図１１】図１１は、ヘッド部にバッテリが装着された状態の一例を示す斜視図である。
【図１２】図１２は、ヘッド部にバッテリが装着された状態の一例を示す平面図である。
【発明を実施するための形態】
【０００９】
以下、本発明に係るアップライト集じん機の実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１０】
図１から図４は、本実施形態に係るアップライト集じん機１００の一例を示す図であり、図１は斜視図、図２は平面図、図３は底面図、図４は側面図である。図１から図４に示すアップライト集じん機１００は、本体部１０と、ヘッド部２０と、接続管３０と備えている。
【００１１】
アップライト集じん機１００は、本体部１０が床面に対して直立した状態に維持可能である。アップライト集じん機１００は、未使用時には、本体部１０を直立させた状態で保管することが可能である。また、使用時には、本体部１０を床面に対して傾斜した状態とし、この状態を維持してヘッド部２０を移動することで、床面を容易に移動可能である。なお、接続管３０により直接吸引する場合には、本体部１０を床面に対して直立した状態に維持して行うことができる。以下、本体部１０が直立している状態における構成を説明する。
【００１２】
以下、水平面に平行な床面を集じんする場合を例に挙げて説明する。床面に対して垂直な方向を上下方向とし、床面から離れる方向を「上」、床面に近づく方向を「下」とする。また、床面に平行な方向を前後方向（第１方向）及び左右方向（第２方向）とする。本体部１０を直立させた状態において、本体部１０に対してヘッド部２０が突出する方向を「前」とし、「前」の反対方向を「後」とする。また、「前」を見た場合における左方を「左」、右方を「右」とする。
【００１３】
本体部１０は、ハウジング１１及び開閉カバー１２を有する。ハウジング１１は、例えば矩形の箱状であり、上下方向に延びた状態で設けられる。ハウジング１１の下側端部は、連結部１７を介してヘッド部２０に連結される。連結部１７は、左右方向に延びる軸部を有し、当該軸部を中心としてハウジング１１を回動可能に支持する。ハウジング１１は、連結部１７を中心として回動することにより、床面に対して直立した状態と、床面に平行な状態との間で傾斜角度が調整可能となっている（図４参照）。
【００１４】
ハウジング１１は、モータ室１３と、集じん室１４とを内部に有する。図５から図８は、本体部１０の内部の一例を示す図であり、図５は断面図、図６及び図７は斜視図、図８は平面図である。なお、図５は、図８におけるＡ−Ａ断面に沿った構成を示している。また、図６は、図１の開閉カバー１２を取り外した状態を示している。図７は、図６に示す状態から後述のフィルタ１４ｆを取り外した状態を示している。
【００１５】
図５から図８に示すように、モータ室１３は、ハウジング１１の内部の下側に配置される。モータ室１３は、開口部１３ａを介して流路１１ａに連通される。流路１１ａは、ハウジング１１の右側部に配置され、上下方向に延びている。モータ室１３は、電動モータ１３ｍ及び吸引ファン１３ｆを有する。モータ室１３は、吸引ファン１３ｆが電動モータ１３ｍに対して開口部１３ａ側に配置される。モータ室１３は、電動モータ１３ｍが吸引ファン１３ｆを回転させることにより、吸引力を生じさせる。モータ室１３の吸引力により吸引された空気は、例えばハウジング１１の排気部１８から外部に排出される。
【００１６】
集じん室１４は、ハウジング１１の内部の上側に配置され、開閉カバー１２により開閉可能に設けられる。集じん室１４は、ヘッド部２０からの異物を収容可能な集じんパックが着脱可能に設けられる。集じん室１４は、開口部１４ａを介して上記の流路１１ａに連通される。開口部１４ａは、集じん室１４の右側面に形成される。開口部１４ａには、フィルタ１４ｆが着脱可能に設けられる。フィルタ１４ｆは、集じんパックで捕集しきれなかった微小なじん埃を捕集する。流路１１ａは、開口部１３ａを介してモータ室１３に連通される。集じん室１４の上部には、接続管３０に連結される連結管１５が設けられる。集じん室１４は、連結管１５を介して接続管３０に連通される。
【００１７】
ハウジング１１の上部には、ハンドル１６が設けられる。ハンドル１６は、ユーザがアップライト集じん機１００を移動させる際に把持可能である。ハンドル１６には、操作スイッチが設けられる。操作スイッチは、アップライト集じん機１００に対する各種操作を受付可能な電子スイッチである。操作スイッチは、ユーザがハンドル１６を握った状態で操作可能である。操作スイッチは、駆動スイッチと、停止スイッチとを有する。
【００１８】
ヘッド部２０は、ヘッドハウジング２１と、走行輪２２とを有する。ヘッドハウジング２１は、床面に載置された状態で当該床面に沿って移動可能である。ヘッドハウジング２１は、吸込口２３と、吸込流路２４と、バッテリ装着部２６と、カバー部材２５とを有する。
【００１９】
吸込口２３は、ヘッドハウジング２１の底面２１ａの前部に配置される。吸込口２３は、左右方向の中央部が、例えばヘッドハウジング２１の左右方向の中央部と一致するように配置される。吸込口２３には、回転ブラシ２３ａが配置される。回転ブラシ２３ａは、左右方向に平行な中心軸を中心として回転可能である。回転ブラシ２３ａにより、絨毯などの床部に付着したじん埃等の異物を容易に掻き取ることが可能である。
【００２０】
吸込流路２４は、吸込口２３から吸い込まれた空気及びじん埃等の異物を接続管３０に流通させる。吸込流路２４は、ヘッドハウジング２１の内部において左右方向の中央部に配置され、前後方向に直線状に延びている。つまり、吸込流路２４は、平面視においてヘッド部２０の中央部を通るように直線状に設けられる。吸込流路２４の前側端部は吸込口２３に接続され、後側端部は連結管２７に接続される。
【００２１】
吸込流路２４は、吸込口２３の左右方向の中央部に接続される。吸込流路２４が左右方向の中央部に配置され、吸込口２３の左右方向の中央部に接続されることで、吸込口２３においては左右方向に均等に吸引力を作用させることが可能となっている。連結管２７は、ヘッドハウジング２１の後部に配置され、吸込流路２４と接続管３０とを連結する。吸込流路２４は、吸込口２３から連結管２７にかけて前後方向に直線状に設けられる。このように、吸込流路２４を直線状に設けることにより、ヘッドハウジング２１における寸法を抑制でき、吸引損失が抑制されるため、十分な吸引力が確保される。
【００２２】
カバー部材２５は、ヘッドハウジング２１の上部を開閉可能に設けられる。カバー部材２５は、不図示のヒンジ部を介してヘッドハウジング２１の前側端部に取り付けられる。カバー部材２５は、当該ヒンジ部により、左右方向に平行な中心軸を中心として回動可能である。カバー部材２５を回動させることにより、ヘッドハウジング２１の上部が開閉可能となる。カバー部材２５は、閉じた状態でバッテリ装着部２６を覆うように設けられる（図１、図２、及び図４参照）。
【００２３】
図９は、カバー部材２５を開いた状態の一例を示す斜視図である。図９に示すように、カバー部材２５を開くことにより、バッテリ装着部２６が露出した状態となる。バッテリ装着部２６を露出させることにより、バッテリ装着部２６に対してバッテリ５０の装着又は取り出しが可能となる。カバー部材２５を設けることにより、例えばバッテリ５０の装着時には、バッテリ５０を保護できる。また、バッテリ５０の非装着時には、バッテリ５０に接続する端子を保護することができ、バッテリ装着部２６に対して埃等が付着することを抑制できる。カバー部材２５は、透明又は半透明の構成であってもよい。この構成では、カバー部材２５を閉じた状態のまま、使用者が内側の状態を見ることができる。
【００２４】
バッテリ装着部２６は、平面視において吸込流路から外れた位置に配置され、バッテリ５０を装着可能である。バッテリ装着部２６が設けられることにより、バッテリ５０は、ヘッド部２０に着脱可能に設けられる。バッテリ装着部２６は、複数の位置に配置される。本実施形態において、バッテリ装着部２６は、吸込流路２４に対して左右方向の両側に配置される。
【００２５】
バッテリ装着部２６は、ヘッドハウジング２１に設けられバッテリ５０を収容可能な凹部２１ｂ含む。このように、ヘッドハウジング２１設けられる凹部２１ｂにバッテリ５０を収容することにより、例えばバッテリ５０をヘッドハウジング２１の上面に装着する場合に比べて、ヘッドハウジング２１の高さ（上下方向の寸法）を抑制することができる。
【００２６】
図１０は、ヘッドハウジング２１の一部を拡大して示す斜視図であり、左側のバッテリ装着部２６の一例を示している。図９及び図１０に示すように、バッテリ装着部２６は、レール２６ａを有する。レール２６ａは、左右方向に平行に延びている。レール２６ａは、前後方向に間隔を空けて２本並んだ状態で配置される。レール２６ａは、バッテリ５０を案内する。レール２６ａが設けられることにより、左右方向の外側から内側に向けてバッテリ５０を左右方向（横方向）スライドさせて装着可能となる。
【００２７】
例えば、吸込流路２４に対して左側に配置されるバッテリ装着部２６においては、ヘッドハウジング２１の左側から右方向に向けてバッテリ５０をスライドさせることで、当該バッテリ５０を装着可能である。バッテリ５０を取り外す場合には、装着時とは逆方向、つまりバッテリ５０を左方向に向けてスライドさせることで、当該バッテリ５０を取り外し可能である。
【００２８】
また、吸込流路２４に対して右側に配置されるバッテリ装着部２６においては、ヘッドハウジング２１の右側から左方向に向けてバッテリ５０をスライドさせることで、当該バッテリ５０を装着可能である。バッテリ５０を取り外す場合には、装着時とは逆方向、つまりバッテリ５０を右方向に向けてスライドさせることで、当該バッテリ５０を取り外し可能である。
【００２９】
図１１及び図１２は、ヘッド部２０にバッテリ５０が装着された状態の一例を示す図であり、図１１が斜視図、図１２が平面図である。図１１及び図１２に示すように、バッテリ５０は、装着状態において、ヘッドハウジング２１の凹部２１ｂ内に収容される。このため、バッテリ５０の装着及び非装着に関わらず、ヘッドハウジング２１の外形寸法は変化しない。
【００３０】
本実施形態において、バッテリ５０は、例えば電動工具用バッテリである。なお、バッテリ５０は、電動工具用バッテリに限定されず、例えば他の集じん機に使用可能な汎用バッテリであってもよい。バッテリ５０は、充電式であってもよい。なお、アップライト集じん機１００は、バッテリ５０以外の電源によって作動する構成を更に有してもよい。
【００３１】
また、ヘッドハウジング２１の底面２１ａには、走行輪２２及び補助輪２８が設けられる。走行輪２２は、底面２１ａの左右の後部にそれぞれ１つずつ配置される。走行輪２２は、ヘッド部２０の左右方向に平行な中心軸を中心として回転可能である。走行輪２２が回転することにより、ヘッド部２０が前後方向に容易に移動可能となっている。
【００３２】
補助輪２８は、底面２１ａの左右方向の中央部に配置される。補助輪２８は、底面２１ａから下方に突出して配置される。補助輪２８は、例えば平面視において左右のバッテリ装着部２６の間に配置されるが、これに限定されない。補助輪２８は、左右方向に平行な中心軸を中心として回転可能である。補助輪２８は、ヘッドハウジング２１の上面に配置される高さ調整部２１ｃにより、底面２１ａから下方に突出する突出量を調整可能である。補助輪２８の突出量を調整することにより、回転ブラシ２３ａと床面との距離を調整することが可能となる。
【００３３】
接続管３０は、本体部１０とヘッド部２０とを接続する。本実施形態において、接続管３０は、本体部１０の連結管１５と、ヘッド部２０の連結管２７とを接続する。接続管３０は、本体部１０の右側後部に上下方向に沿って配置される。接続管３０で本体部１０とヘッド部２０とが接続されることで、本体部１０のモータ室１３で発生した吸引力によりヘッド部２０の吸込口２３から空気及びじん埃等の異物を吸引可能となる。
【００３４】
次に、上記したアップライト集じん機１００の使用形態を説明する。まず、ユーザは、アップライト集じん機１００に電力を供給可能な状態とする。例えば、ユーザは、ヘッド部２０のカバー部材２５を開き、バッテリ装着部２６にバッテリ５０が装着されているか否かを確認することができる。なお、カバー部材２５を透明又は半透明の構成とすることにより、カバー部材２５を閉じた状態でバッテリ装着部２６にバッテリ５０が装着されているか否かを確認できる。バッテリ装着部２６にバッテリ５０が装着されていない場合、バッテリ装着部２６にバッテリ５０を装着する。この場合、ヘッドハウジング２１の外側から左右方向にバッテリ５０をスライドさせることで容易に装着できる。また、バッテリ５０を交換する場合、装着時とは逆方向にバッテリ５０をスライドさせることで容易にバッテリ５０を取り外すことができる。
【００３５】
バッテリ５０を装着した後、又はバッテリ５０が装着されていることを確認した後、ユーザは、本体部１０のハンドル１６を把持して本体部１０を床面に対して直立又は傾けた状態とし、駆動スイッチを操作する。この操作により、モータ室１３において吸引力が発生し、ヘッド部２０の吸込口２３から空気が吸い込まれる。これにより、床面に落ちているじん埃等の異物が吸い込まれる。
【００３６】
ユーザは、ハンドル１６を把持した状態で前後方向に移動させることで、ヘッド部２０が前後方向に移動する。また、ユーザがハンドル１６を把持して本体部１０を床面に対して傾けた状態とし、この状態から上下方向に平行な軸を中心としてハンドル１６を旋回させることで、ヘッド部２０を回転させ、進行方向を変更することができる。ヘッド部２０が前後方向に移動することで、回転ブラシ２３ａが回転する。これにより、例えば絨毯等に絡みついている異物についても、回転ブラシ２３ａで掻き取ることができる。
【００３７】
吸い込まれた空気及び異物は、吸込流路２４を流通して連結管２７に到達する。本実施形態では、吸込流路２４が左右方向の中央に配置され、吸込口２３の左右方向の中央に接続される。このため、吸込口２３においては左右方向について均等に吸引することができる。また、吸込流路２４が前後方向の直線状に配置されるため、ヘッドハウジング２１の内部に屈曲した状態で引き回される構成に比べて、吸引力の損失が低減される。このため、十分な吸引力で空気及び異物を吸引可能である。
【００３８】
連結管２７に到達した空気及び異物は、接続管３０及び連結管１５を介して、集じん室１４に到達する。異物については集じん室１４の集じんパック内に収容される。空気ＡＲについては、例えば図５に示すように、集じん室１４のフィルタ１４ｆ及び開口部１４ａを介して流路１１ａに流入する。空気ＡＲがフィルタ１４ｆを通過する際、集じんパックに補修しきれなかった微小な異物がフィルタ１４ｆによって捕集される。流路１１ａに流入した空気ＡＲは、流路１１ａ及び開口部１３ａを介してモータ室１３に引き込まれる。この空気ＡＲは、モータ室１３のファン１３ｆ及びモータ１３ｍを通過し、排気部１８から外部に排出される。なお、ファン１３ｆ及びモータ１３ｍを通過した空気ＡＲが不図示の制御基板を通過するように流路が構成されてもよい。
【００３９】
ユーザが停止スイッチを操作することにより、モータ室１３において吸引力の発生動作が停止し、ヘッド部２０の吸込口２３における吸込が停止する。これにより、アップライト集じん機１００の動作が停止する。動作停止後、アップライト集じん機１００を片付ける際、例えば本体部１０を床面に対して直立した状態のまま保管することができる。
【００４０】
以上のように、本実施形態に係るアップライト集じん機１００は、連結管１５と、吸引口と接続される集じん室１４と、集じん室１４と接続されファン１３ｆ及びモータ１３ｍが収容されるモータ室１３と、モータ室１３からの気体が排出される排気口１８と、を有し、床面に対して直立した状態に維持可能な本体部１０を備えるアップライト集じん機１００であって、床面に対して直立した状態に維持可能な本体部１０と、本体部１０に接続可能であり、吸引力によって空気を吸引するヘッド部２０と、ヘッド部２０の内部に配置され、平面視においてヘッド部２０の中央部を通るように直線状に設けられ、吸引した空気を本体部１０側に流通させる吸込流路２４と、ヘッド部２０のうち平面視において吸込流路２４から外れた位置に配置されるバッテリ５０とを備える。
【００４１】
本実施形態によれば、ヘッド部２０にバッテリ５０を配置することで、本体部１０にバッテリ５０を配置する場合に比べて、操作部分の荷重が低下し、操作性が向上する。また、吸込流路２４が平面視においてヘッド部２０の中央部を通るように直線状に設けられる。このため、吸込流路がヘッドハウジング２１の内部に屈曲した状態で引き回される構成に比べて、ヘッド部２０における吸引力の損失が低減される。これにより、操作性を向上させ、十分な吸引力を確保することが可能なアップライト集じん機１００が得られる。
【００４２】
本実施形態に係るアップライト集じん機１００において、バッテリ５０は、ヘッド部２０に着脱可能に設けられる。これにより、バッテリ５０の交換等を容易に行うことができる。
【００４３】
本実施形態に係るアップライト集じん機１００において、バッテリ５０は、複数の位置に配置される。これにより、バッテリ５０を１つ装着する態様と複数装着する態様とを選択可能となる。例えば、アップライト集じん機１００を短時間使用する場合にはバッテリ５０を１つ装着し、長時間使用する場合にはバッテリ５０を複数装着することで、交換等の手間を省くことができる。
【００４４】
本実施形態に係るアップライト集じん機１００において、バッテリ５０は、平面視において吸込流路２４の両側の位置に配置される。これにより、バッテリ５０の装着時において、ヘッド部２０における左右の重量のバランスを確保できる。
【００４５】
本実施形態に係るアップライト集じん機１００において、ヘッド部２０は、バッテリ５０をスライドさせて着脱可能なレール２６ａを有する。これにより、レール２６ａに沿ってバッテリ５０を容易に装着することが可能となる。
【００４６】
本実施形態に係るアップライト集じん機１００において、ヘッド部２０は、ヘッドハウジング２１を有し、バッテリ装着部２６は、ヘッドハウジング２１に設けられバッテリ５０を収容可能な凹部２１ｂを含む。ヘッドハウジング２１設けられる凹部２１ｂにバッテリ５０を収容することにより、例えばバッテリ５０をヘッドハウジング２１の上面に装着する場合に比べて、ヘッドハウジング２１の高さ（上下方向の寸法）を抑制することができる。
【００４７】
本実施形態に係るアップライト集じん機１００において、バッテリ５０は、汎用バッテリである。これにより、他の集じん機又は電動工具等との間でバッテリ５０を共用できる。
【００４８】
本実施形態に係るアップライト集じん機１００において、ヘッド部２０は、開閉可能であって閉じた状態でバッテリ５０を覆うカバー部材２５を有する。これにより、例えばバッテリ５０の装着時には、バッテリ５０を保護できる。また、バッテリ５０の非装着時には、バッテリ５０に接続する端子を保護することができ、バッテリ装着部２６に対して埃等が付着することを抑制できる。
【００４９】
本発明の技術範囲は上記実施形態に限定されるものではなく、本発明の趣旨を逸脱しない範囲で適宜変更を加えることができる。例えば、上記実施形態では、２つのバッテリ装着部２６をまとめて覆うことが可能なカバー部材２５が設けられた構成を例に挙げて説明したが、これに限定されない。バッテリ装着部２６ごとに別個に開閉可能なカバー部材が設けられてもよい。
【００５０】
また、上記実施形態では、バッテリ５０及びバッテリ装着部２６が２つ（複数）設けられる構成を例に挙げて説明したが、これに限定されない。例えば、バッテリ５０及びバッテリ装着部２６が１つ設けられる構成であってもよい。また、バッテリ５０及びバッテリ装着部２６が３つ以上設けられる構成であってもよい。
【００５１】
また、上記実施形態では、バッテリ５０が平面視において吸込流路２４の両側の位置に配置される構成を例に挙げて説明したが、これに限定されない。バッテリ５０は、吸込流路２４に対して平面視においての一方の側に設けられる構成であってもよい。
【００５２】
また、上記実施形態では、本体部１０側にモータ室１３が配置された構成のアップライト集じん機１００を例に挙げて説明したが、これに限定されない。例えば、アップライト集じん機は、ヘッド部２０側にモータ室が配置された構成であってもよい。
【符号の説明】
【００５３】
１０…本体部、１１…ハウジング、１２…開閉カバー、１３…モータ室、１４…集じん室、１５，２７…連結管、１６…ハンドル、１７…連結部、１８…排気部、２０…ヘッド部、２１…ヘッドハウジング、２１ａ…底面、２１ｂ…凹部、２１ｃ…調整部、２２…走行輪、２３…吸込口、２３ａ…回転ブラシ、２４…吸込流路、２５…カバー部材、２６…バッテリ装着部、２６ａ…レール、２８…補助輪、３０…接続管、５０…バッテリ、１００…アップライト集じん機
【図１】
2020141793.tif 000003
【図２】
2020141793.tif 000004
【図３】
2020141793.tif 000005
【図４】
2020141793.tif 000006
【図５】
2020141793.tif 000007
【図６】
2020141793.tif 000008
【図７】
2020141793.tif 000009
【図８】
2020141793.tif 000010
【図９】
2020141793.tif 000011
【図１０】
2020141793.tif 000012
【図１１】
2020141793.tif 000013
【図１２】
2020141793.tif 000014